(57)【要約】【課題】本発明の目的は、製造時において、布袋の開口部や底部に絞り糸を設けるのに極力手間がかからない土木用袋体を提供すること。【解決手段】  土木用袋体Ａは、開口部１と胴体部２と底部３とを有する巾着状の布袋よりなり開口部に口絞り糸Ｒ１が設けられ且つ底部３に底絞り糸Ｒ２が設けられた土木用袋体Ａであって、前記口絞り糸Ｒ１及び底絞り糸Ｒ２は布袋の製織時に同時に挿入されている。そして、前記開口部１及び前記胴体部２が、前面部を形成する前面組織部１Ａと後面部を形成する後面組織部１Ｂとよりなり、開口部の各組織部の一部に横方向の挿入空間部が形成され該挿入空間部に緯入れにより口絞り糸が挿入されている。【選択図】  図１
2007182739.tif 000002
【特許請求の範囲】
【請求項１】
開口部と胴体部と底部とを有する巾着状の布袋よりなり開口部に口絞り糸が設けられ且つ底部に底絞り糸が設けられた土木用袋体であって、
前記口絞り糸及び底絞り糸は布袋の製織時に挿入されたものであることを特徴とする土木用袋体。
【請求項２】
前記開口部及び前記胴体部が、前面部を形成する前面組織部と後面部を形成する後面組織部とよりなり、開口部の各組織部の一部に横方向の挿入空間部が形成され該挿入空間部に緯入れにより口絞り糸が挿入されていることを特徴とする請求項１記載の土木用袋体。
【請求項３】
前記底部が一体組織部よりなり該一体組織部の一部に横方向の挿入空間部が形成され、該挿入空間部に緯入れにより底絞り糸が挿入されていることを特徴とする請求項１記載の土木用袋体。
【請求項４】
前記底部の一体組織部は胴体部の前面組織部と後面組織部とが一体化した組織となっていることを特徴とする請求項３記載の土木用袋体。
【請求項５】
前記胴体部には中詰め材の投入量を示す着色した緯糸が織り込まれていることを特徴とする請求項１に記載の土木用袋体。
【請求項６】
前記布袋の両側は一定幅に渡って前面組織部と後面組織部とが一体化した一体組織部となっていることを特徴とする請求項２記載の土木用袋体。
【請求項７】
前記布袋の両側の一体組織部には吊り上げ用の穴が形成されていることを特徴とする請求項６記載の土木用袋体。
【請求項８】
前記口絞り糸及び底絞り糸は、他の組織部を構成する糸より補強された太糸であることを特徴とする請求項２記載の土木用袋体。
【請求項９】
開口部と胴体部と底部とを有する巾着状の布袋よりなり開口部に口絞り糸が設けられた土木用袋体であって、
前記口絞り糸は布袋の製織時に同時に挿入されたものであることを特徴とする土木用袋体。
【発明の詳細な説明】
【技術分野】
【０００１】
本発明は、土砂や栗石、コンクリートガラ等の中詰め材が充填される土木用袋体に関する。
より詳しくは、河川や港湾等において洗堀や侵食を防止するために用いられる根固め用、更には落石、雪崩、土砂崩れ等を防止するための衝撃吸収防護壁用に使われる土嚢袋に関するものである。
【背景技術】
【０００２】
従来、河川や港湾等において洗堀や侵食を防止するために土砂等を投入した土木用袋体が使用されている。
この袋体は、開口部や底部をロープや紐等により絞り込むことにより、巾着状にするタイプが多い。
そのため製造時において、筒状の布袋の開口部や底部を折り返して縫着し、ロープや紐を挿通するための通路を形成しておく。
そして、製造時や施工現場では、この通路にロープや紐を挿通した後、それを引張って開口部や底部を絞り込む手順を取る（例えば、特許文献１参照）。
また、布袋が明確な網目を有する場合は、製造時において、口絞り糸を布袋の開口部の網目に交互にうねらせて挿通することにより開口部に取り付けておき、施工現場で同様な手順により開口部を絞り込む。
【０００３】
【特許文献１】実公昭５５−１６９１７４号公報
【発明の開示】
【発明が解決しようとする課題】
【０００４】
しかしながら、上述したような土木用袋体では、開口部や底部を折り返して縫着しロープや紐を挿通するための通路を形成する作業と、この通路にロープを挿通する作業とが必要である。
この縫製による通路の形成方法では、工数が増えて手間がかかる上、通路の幅が個々に不均一になり易いという欠点がある。
また、布袋が明確な網目を有する場合は、絞り糸を布袋の開口部や底部の網目に交互にうねらせて挿入する作業が必要であり、特に網目に絞り糸を迅速且つ均一に挿入していくためには作業に熟練を要する。
【０００５】
本発明は、上述した課題を解決するためになされたものである。
すなわち、本発明は、製造時において、布袋の開口部や底部に絞り糸を設けるのに極力手間がかからない土木用袋体を提供することを目的とする。
【課題を解決するための手段】
【０００６】
かくして、本発明者は、このような課題背景に対して鋭意研究を重ねた結果、布袋を製織により製造し、この製織の際、同時に口絞り糸や底絞り糸を組織的に形成された挿入空間部に挿入することにより、上記のような問題点を解決することができることを見出し、この知見に基づいて本発明を完成させたものである。
【０００７】
すなわち、本発明は、（１）、開口部と胴体部と底部とを有する巾着状の布袋よりなり開口部に口絞り糸が設けられ且つ底部に底絞り糸が設けられた土木用袋体であって、前記口絞り糸及び底絞り糸は布袋の製織時に同時に挿入されたものである土木用袋体に存する。
【０００８】
また、本発明は、（２）、記開口部及び前記胴体部が、前面部を形成する前面組織部と後面部を形成する後面組織部とよりなり、開口部の各組織部の一部に横方向の挿入空間部が形成され該挿入空間部に緯入れにより口絞り糸が挿入されている上記（１）記載の土木用袋体に存する。
【０００９】
また、本発明は、（３）、前記底部が一体組織部よりなり該一体組織部の一部に横方向の挿入空間部が形成され、該挿入空間部に緯入れにより底絞り糸が挿入されている上記（１）記載の土木用袋体に存する。
【００１０】
また、本発明は、（４）、前記底部の一体組織部は胴体部の前面組織部と後面組織部とが一体化した組織となっている上記（３）記載の土木用袋体に存する。
【００１１】
また、本発明は、（５）、前記胴体部には中詰め材の投入量を示す着色した緯糸が織り込まれている上記（１）に記載の土木用袋体に存する。
【００１２】
また、本発明は、（６）、前記布袋の両側は一定幅に渡って前面組織部と後面組織部とが一体化した一体組織部となっている上記（２）記載の土木用袋体に存する。
【００１３】
また、本発明は、（７）、前記布袋の両側の一体組織部には吊り上げ用の穴が形成されている（６）記載の土木用袋体に存する。
【００１４】
また、本発明は、（８）、前記口絞り糸及び底絞り糸は、他の組織部を構成する糸より補強された太糸である上記（２）記載の土木用袋体に存する。
【００１５】
また、本発明は、（９）、開口部と胴体部と底部とを有する巾着状の布袋よりなり開口部に口絞り糸が設けられた土木用袋体であって、前記口絞り糸は布袋の製織時に同時に挿入されたものである土木用袋体に存する。
【００１６】
なお、本発明の目的に添ったものであれば、上記発明を適宜組み合わせた構成も採用可能である。
【発明の効果】
【００１７】
本発明の土木用袋体によれば、口絞り糸及び底絞り糸は布袋の製織時に挿入され、製織時にロープを挿入する挿入空間部が組織的に形成されるので、従来のようにわざわざ縫製等により口絞りロープの挿入空間部を別工程で作る必要がなく、また挿入空間部に口絞りロープを挿入する操作も不必要である。
よって全体的に製造工数が少なくなり土木用袋体自体の品質も向上する。
【発明を実施するための最良の形態】
【００１８】
以下、本発明を実施するための最良の形態を図面を用いて説明する。
図１は、中詰め材Ｗが投入される前の土木用袋体を示しており、また図２は中詰め材Ｗが投入された後の土木用袋体を示している。
更に図３は、土木用袋体の組織を説明するための長さ方向の断面図である。
この実施形態の土木用袋体は、織機を使って製織される巾着状で矩形の布袋Ａよりなり、該布袋Ａは開口部１と胴体部２と底部３とを有する。
そして土木用袋体は、胴体部２に中詰め材Ｗが所定の量だけ投入された状態（すなわち充填された状態）では立体形状を呈するものである。
開口部１及び胴体部２は前面部と後面部とよりなり、これらの部分を広げると中詰め材Ｗの投入空間Ｓが形成される。
に存する。
【００１９】
中詰め材Ｗとしては、主として土砂や栗石、コンクリートガラ等が採用されるが、使用用途によっては他の種々のものが使用可能である。
【００２０】
また、布袋Ａの材質としては、中詰め材Ｗを投入可能な強度を有するものであればよく、ポリエステル、ポリアミド、ポリエチレン、又はポリプロピレン等の合成繊維や綿、麻等の天然繊維が採用される。
【００２１】
土木用袋体において開口部１や胴体部２の前面部は前面組織部１Ａにより形成され、また後面部は後面組織部１Ｂにより形成されており、これら両組織部１Ａ，１Ｂが底部３において一体化され一体組織部３ＡＢを形成しているものである。
ここで、これらの各組織部１Ａ，１Ｂは織機によって製織され、その製織時に例えば平織組織として織り込まれていくものであり、いわゆる織組織を構成する。
底部３における一体組織部３ＡＢの織密度は、開口部１及び胴体部２における前面組織部１Ａ及び後面組織部１Ｂの織密度の２倍となる。
更にいうと、製織時における縦糸や緯糸の（緯糸の調製はどの部分でも可能である）糸密度は、一体組織部３ＡＢでは前面組織部１Ａや後面組織部１Ｂの２倍の糸密度を有するものである。
なお、各組織の密度は緯入れする緯糸の本数により調整することができる。
【００２２】
（開口部）
ところで本発明の土木用袋体は、開口部１に口絞り糸Ｒ１が設けられ且つ底部３に底絞り糸Ｒ２が設けられており、これらは絞り込みのため機能する。
【００２３】
詳しくは、開口部１には、製織時に前面組織部１Ａ及び後面組織部１Ｂの一部に横方向の挿入空間部Ｓ１が形成されると、この挿入空間部Ｓ１に口絞り糸Ｒ１が挿入されている。
この場合、開口部１を織機で製織する際、前面組織部１Ａが挿入空間部Ｓ１を作るための二枚の前薄組織部１Ａ１，１Ａ１に分離組織化され、同様に後面組織部１Ｂも挿入空間部Ｓ１を作るための二枚の後薄組織部１Ｂ１，１Ｂ１に分離組織化される。
前面組織部１Ａは前薄組織部１Ａ１の織密度の２倍であり、同様に後面組織部１Ｂも後薄組織部１Ｂ１の織密度の２倍となる。
【００２４】
製織時の縦糸や緯糸でいうと、それらの糸密度は前面組織部１Ａや後面組織部１Ｂにおいて、それぞれ前薄組織部１Ａ１や後薄組織部１Ｂ１の２倍の糸密度となっている。
口絞り糸Ｒ１は二枚の前薄組織部１Ａ１により形成された挿入空間部Ｓ１に横方向に一方通行で挿入されており、また二枚の後薄組織部１Ｂ１により形成された挿入空間部Ｓ１に横方向に一方通行で挿入されており、計２本となる。
これらの口絞り糸Ｒ１の挿入は、製織時に例えばレピアグリッパを使って緯入れにより一方通行に挿入することが可能である。
【００２５】
挿入空間部Ｓ１は、従来のように縫製代を取って縫い込むようなことがないため、内部に縫い代の部分が顔を出さず、その結果、織組織により形成された真っ直ぐで均一な空間となり、且つ従来に較べて縫い代による硬さが少なる。
またこの口絞り糸Ｒ１は該糸に較べて広めの挿入空間部Ｓ１に自由度を有する状態で配置されている。
このようなことから口絞り糸Ｒ１により開口部１を絞り込む際には、均一な絞り込みができ、更に極めて作業がし易いものとなる。
【００２６】
（底部）
一方、底部３は一体組織部３ＡＢとなっているが、この一体組織部３ＡＢの一部にも横方向の挿入空間部Ｓ２が形成される。
この場合、一体組織部３ＡＢが挿入空間部Ｓ２を作るために前面組織部３Ａと後面組織部３Ｂとに分離されており、これらは開口部１や胴体部２における前面組織部１Ａと後面組織部１Ｂに相当する組織である。
この場合も挿入空間部Ｓ２は、従来のように縫い代を作り折り返して縫製するようなことがなく、底絞り糸Ｒ２も該糸に較べて広めの挿入空間部Ｓ２に自由度を有する状態で配置されている。
このようなことから底部のいわゆる硬さが低下して底絞り糸Ｒ２によって極めて絞り込み易くなり、且つ底部３を絞り込む際により操作し易い。
【００２７】
因みに、従来のように縫製によって挿入空間部Ｓ２を形成した場合は、底部を絞り込む場合に硬さが邪魔して滑らかな絞りができない。
製織時、この前面組織部３Ａと後面組織部３Ｂとにより挿入空間部Ｓ２が形成され、同時にこの挿入空間部Ｓ２に底絞り糸Ｒ２が前述した口絞り糸Ｒ１のように緯入れによって挿入されることとなる。
【００２８】
（両側組織）
布袋Ａの両側は、一定幅に渡って前面組織部１Ａ，２Ａ，３Ａと後面組織部１Ｂ，２Ｂ，３Ｂ，とが一体化した一体組織部Ｚとなっており、丁度、底部３の一体組織部３ＡＢと同様な織組織である。
従って、中詰め材Ｗを投入するための投入空間（充填空間）Ｓは、この両側に形成された一体組織部Ｚと底部３に形成された一体組織部３ＡＢとにより三方が閉じられた空間となる。
一方側の一体組織部Ｚには縦方向に一定間隔をおいて穴Ｈが形成されており、この穴Ｈは吊り上げ用の穴として用いられる。
すなわち、現場で施工する場合に、中詰め材Ｗが充填されている土木用袋体は極めて重く（例えば１トン以上になる場合が多い）クレーン等を使用してフックＦを、その穴Ｈに挿入し吊り上げて移動する。
【００２９】
ところで、上述したように中詰め材Ｗを充填する際、その投入量を正確にする必要があり、そのために、図１に示すように、布袋Ａの胴体部２に、中詰め材Ｗの投入量の目安となるライン状の目印を設けることが好ましい。
この目印は、製織の際、緯糸として、例えば蛍光色、鮮明色等の目立った着色した緯糸Ｌを織り込んで使うことにより容易に付与することができる。
中詰め材Ｗの投入量が正確となり安定することで、設定重量をオーバするようなことが回避され袋自体の品質がよくなり施工設計に沿って正確に施工できる。
【００３０】
（作業工程）
次に、土木用袋体に中詰め材Ｗ（例として便宜的に小石で示した）を投入する作業手順を述べる。
図４は、土木用袋体に中詰め材Ｗを投入して使用状態とするまでの作業手順を示した説明図である。
先ず、図１に示すような中詰め材Ｗを投入する前の状態の土木用袋体から、底絞り糸Ｒ２を使って底部３を絞り状態とする〔図４（Ａ）参照〕。
この場合、底絞り糸Ｒ２は一体組織部３ＡＢに形成された挿入空間部Ｓ２に横方向に一本挿入されているため、底絞り糸Ｒ２の両端を持って底部３を回し込むように絞り、その後は更に底絞り糸Ｒ２を幾重にも巻回することが好ましい。
【００３１】
底部３を絞り込んだ後は、次に中詰め材Ｗを充填する〔図４（Ｂ）参照〕。
この場合、例えば、図示しない充填用の型枠に土木用袋体を開口部１の口縁を開いた状態になるようにセットしておき、その状態で胴体部２に中詰め材Ｗを充填する（投入する）方法が採用される。
土木用袋体の型枠としては、例えば、本出願人の出願に係る特開２００５−２４０３４８号公報がある。
【００３２】
中詰め材Ｗを投入した後は、開口部１を閉じるために口絞り糸Ｒ１により開口部１を絞り込む〔図４（Ｃ）参照〕。
この場合も口絞り糸Ｒ１は、前薄組織部１Ａ１の間の挿入空間部Ｓ１に一本と後薄組織部１Ｂ１の間の挿入空間部Ｓ１の間に一本と計２本が挿入されているので、各二本の口絞り糸同士をクロスして一方の端部或いは両方の端部にて結んだ状態にしておき、その後、開口部１を絞り込み、最後に縮小した状態にて口絞り糸Ｒ１を幾重にも巻回することが好ましい。
以上のようにして中詰め材Ｗが充填された土木用袋体が完成する。
中詰め材Ｗが充填された土木用袋体は、通常、人手では扱えないような荷重があり、クレーン等で吊り上げて移動する〔図４（Ｄ）参照〕。
【００３３】
以上、本発明を説明してきたが、本発明は上述した実施形態にのみ限定されるものではなく、その本質を逸脱しない範囲で、種々の変形が可能であることはいうまでもない。
【００３４】
例えば、図５及び図６に示すように、開口部１や底部３に挿入した口絞り糸Ｒ１の本数は一つの挿入空間部に複数本を挿入してもよい。
図５及び図６では、開口部１における挿入空間部Ｓ１に３本の口絞り糸Ｒ１，Ｒ１，Ｒ１を挿入した場合を示した。
なお挿入空間部Ｓ１は、前面部の前面組織部１Ａと後面部の後面組織部１Ｂとの２つの挿入空間部を有するために開口部１における口絞り糸Ｒ１は計６本となっているが、図５では前面部の口絞り糸Ｒ１，Ｒ１，Ｒ１のみを示した。
【００３５】
また図７及び図８は、前面組織部１Ａに上下並んで２つの挿入空間部Ｓ１を形成し、後面組織部１Ｂにも同様に上下並んで２つの挿入空間部Ｓ１を形成し、それらの挿入空間部Ｓ１に各１本ずつの口絞り糸Ｒ１を挿入した例を示す。
なお、この場合、開口部１における口絞り糸Ｒ１，Ｒ１，Ｒ１，Ｒ１は計４本となっているが図７では前面部の口絞り糸Ｒ１，Ｒ１のみを示した。
またこの場合、底部３における挿入空間部Ｓ１には２本の口絞り糸Ｒ２，Ｒ２を挿入している。
【００３６】
本発明の土木用袋体においては、このように挿入空間部Ｓ１の数及びそれに挿入する絞り糸の数も自由に設定が可能である。
また口絞り糸Ｒ１や底絞り糸Ｒ２は、土木用袋体の前面組織部１Ａ〜３Ａ、前薄組織部１Ａ１、後面組織部１Ｂ〜３Ｂ、後薄組織部１Ｂ１、一体組織部３ＡＢ等を構成する糸とは異なる形態を有するものも採用可能である。
例えば、他の組織部を構成する糸よりも補強された太糸を用いたり、または他の組織部を構成する糸とは異なった材質を採用する。
【００３７】
また後面部と前面部との織組織を異なった組織とすることも可能である。
また土木用袋体の布袋Ａに把手を設けて運び易くすることも適宜変更可能である。
また本発明の土木用袋体においては、底絞り糸Ｒ２を全く使用せずに底部の一体組織部３ＡＢによって閉じた状態だけで使用することも当然可能である。
【図面の簡単な説明】
【００３８】
【図１】図１は、中詰め材が投入される前の土木用袋体を示す説明図である。
【図２】図１は、中詰め材が投入された後の土木用袋体を示す説明図である。
【図３】図３は、図１の土木用袋体の組織を説明するための長さ方向の断面図である。
【図４】図４は、土木用袋体に中詰め材を投入して使用状態とするまでの作業手順を示す説明図である。
【図５】図５は、図１の土木用袋体の変形例を示す説明図である。
【図６】図６は、図５の土木用袋体の組織を説明するための長さ方向の断面図である。
【図７】図７は、図１の土木用袋体の変形例を示す説明図である。
【図８】図８は、図７の土木用袋体の組織を説明するための長さ方向の断面図である。
【符号の説明】
【００３９】
１  開口部
１Ａ  前面組織部
１Ｂ  後面組織部
１Ａ１  前薄組織部
１Ｂ１  後薄組織部
２  胴体部
２Ａ  前面組織部
２Ｂ  後面組織部
３  底部
３Ａ  前面組織部
３Ｂ  後面組織部
３ＡＢ  一体組織部
Ａ  布袋（土木用袋体）
Ｆ  フック
Ｈ  穴
Ｌ  着色した緯糸
Ｒ１  口絞り糸
Ｒ２  底絞り糸
Ｓ    投入空間
Ｓ１  挿入空間部
Ｓ２  挿入空間部
Ｗ  中詰め材
Ｚ  一体組織部
【図１】
2007182739.tif 000003
【図２】
2007182739.tif 000004
【図３】
2007182739.tif 000005
【図４】
2007182739.tif 000006
【図５】
2007182739.tif 000007
【図６】
2007182739.tif 000008
【図７】
2007182739.tif 000009
【図８】
2007182739.tif 000010